(57)【要約】  【課題】  軽量でありながら３５〜７５ＭＰａの高圧に十分に耐え得る高圧タンクを簡単にかつ安価に提供する。  【解決手段】  タンク本体２のガス取出筒部５に筒状補強カラー１０を外嵌合し、補強カラー１０を焼ばめによりタンク本体２のガス取出筒部５から鏡部４にかけての外周に一体に嵌着する。【選択図】  図１
2005016707.tif 000002
【特許請求の範囲】
【請求項１】
筒状胴部の一端に椀状鏡部を介してガス取出筒部が一体に突設された金属製のタンク本体と、
上記ガス取出筒部に外嵌合されてこのガス取出筒部から鏡部にかけての外周に一体に嵌着された金属製の筒状補強カラーとからなることを特徴とする高圧タンク。
【請求項２】
請求項１に記載の高圧タンクにおいて、
補強カラーは、ガス取出筒部に嵌着される筒部と、この筒部の一端から外側方に張り出す張出部とからなり、この張出部裏面には、リング状膨出部が膨出して形成され、
一方、鏡部のガス取出筒部との境目近傍における外周には、上記補強カラーを上記ガス取出筒部から鏡部にかけての外周に嵌着した状態で、上記膨出部が嵌入するリング状嵌合凹部が形成されていることを特徴とする高圧タンク。
【請求項３】
請求項１又は２に記載の高圧タンクにおいて、
補強カラーは、合金鋼又はチタン合金からなることを特徴とする高圧タンク。
【請求項４】
請求項１又は２に記載の高圧タンクにおいて、
タンク本体は、アルミニウム合金からなることを特徴とする高圧タンク。
【請求項５】
金属製の筒状ブランク材を回転させながら塑性変形させて筒状胴部の一端に椀状鏡部を介してガス取出筒部が一体に突設されたタンク本体を成形し、
その後、金属製の筒状補強カラーを上記タンク本体のガス取出筒部に外嵌合させて焼ばめにより上記補強カラーをタンク本体のガス取出筒部から鏡部にかけての外周に一体に嵌着させることを特徴とする高圧タンクの製造方法。
【請求項６】
金属製の筒状ブランク材を回転させながら塑性変形させて筒状胴部の一端に椀状鏡部を介してガス取出筒部が一体に突設されたタンク本体を成形した後、上記鏡部のガス取出筒部との境目近傍における外周にリング状嵌合凹部を形成し、
その後、リング状膨出部を有する金属製の筒状補強カラーを上記タンク本体のガス取出筒部に外嵌合させて上記膨出部を鏡部の嵌合凹部に嵌入させ、焼ばめにより上記補強カラーをタンク本体のガス取出筒部から鏡部にかけての外周に一体に嵌着させることを特徴とする高圧タンクの製造方法。
【発明の詳細な説明】
【技術分野】
【０００１】
この発明は、高圧の気体が充填される高圧タンク及びその製造方法の改良に関するものである。
【背景技術】
【０００２】
天然ガスや水素ガス等を高圧で充填して貯留する高圧タンクでは、カーボン繊維等をタンク本体外周に巻き付けて補強するワインディングが施される。特に、ガス取出筒部やこれに続く椀状鏡部は応力が集中し易い箇所であるため、強固に補強する必要がある。しかし、上記鏡部のガス取出筒部との境目近傍はワインディングし辛く、補強し難い。
【０００３】
このため、長筒状ブランク材の開口部から所定領域をスピニングにより口絞りして鏡部及びガス取出筒部を胴部よりも厚くすることが行われる。
【０００４】
これに関し、本出願人は、長筒状ブランク材の開口部から所定領域をフローフォーミングにより他の領域よりも厚く成形し、この厚くなった領域にスピニングにより口絞りして鏡部及びガス取出筒部をさらに厚くする技術を出願し、特許権を取得している（例えば、特許文献１参照）。
【特許文献１】特許第３２５１２１６号公報（第３頁、図１）
【発明の開示】
【発明が解決しようとする課題】
【０００５】
ところが、上記の前者の技術では、厚みが全体に均一な長筒状ブランク材を用いているので、鏡部及びガス取出筒部を厚くするのに限界があり、特に、充填圧が３５〜７５ＭＰａである水素ガス用の高圧タンクには適用し辛い。
【０００６】
そこで、長筒状ブランク材の胴部を全体に厚くして鏡部及びガス取出筒部の厚みを確保することが考えられるが、この場合には、製造された高圧タンク全体が厚くなって重くなり、軽量化を図ることができない。また、厚物の長筒状ブランク材を用いているため、材料費も嵩む。
【０００７】
一方、後者の特許文献１では、予め長筒状ブランク材の開口部から所定領域を他の領域よりも厚くしているので、鏡部及びガス取出筒部を上記の前者の技術よりも厚く確保することができるとともに、胴部を薄くして全体の重量を軽減することができる。しかし、この特許文献１では、フローフォーミングとスピニングという２工程を経る必要があるため、手間が掛かる。また、水素ガス用の高圧タンクにおいて、鏡部及びガス取出筒部の厚みを十分に確保しようとすると、絞り込み量を大きくしなければならず、この場合には、ガス取出筒部が閉塞してしまうので、後工程としてガス取出口を穿設する必要があり、さらに手間が掛かる。
【０００８】
この発明はかかる点に鑑みてなされたものであり、その目的とするところは、軽量でありながら３５〜７５ＭＰａの高圧に十分に耐え得る高圧タンクを簡単にかつ安価に提供することである。
【課題を解決するための手段】
【０００９】
上記の目的を達成するため、この発明は、ガス取出筒部から鏡部にかけての外周を別部材で補強したことを特徴とし、次のような解決手段を講じた。
【００１０】
すなわち、請求項１〜４に記載の発明は、高圧タンクに関するものであって、そのうち、請求項１に記載の発明は、筒状胴部の一端に椀状鏡部を介してガス取出筒部が一体に突設された金属製のタンク本体と、上記ガス取出筒部に外嵌合されてこのガス取出筒部から鏡部にかけての外周に一体に嵌着された金属製の筒状補強カラーとからなることを特徴とする。
【００１１】
上記の構成により、請求項１に記載の発明では、応力が集中し易いガス取出筒部及びその近傍の鏡部の実質的な厚みが補強カラーの厚みにより増大して当該箇所の強度が十分に確保され、３５〜７５ＭＰａの高圧に十分に耐え得る高圧タンクとなる。また、補強カラーがタンク本体全体ではなく、応力が集中し易い鏡部及びガス取出筒部にだけ部分的に嵌着されているため、高圧タンクの重量がそれほど増加せず軽量化が図られるとともに、加工の簡易化、低価格化が図られる。
【００１２】
請求項２に記載の発明は、請求項１に記載の発明において、補強カラーは、ガス取出筒部に嵌着される筒部と、この筒部の一端から外側方に張り出す張出部とからなり、この張出部裏面には、リング状膨出部が膨出して形成され、一方、鏡部のガス取出筒部との境目近傍における外周には、上記補強カラーを上記ガス取出筒部から鏡部にかけての外周に嵌着した状態で、上記膨出部が嵌入するリング状嵌合凹部が形成されていることを特徴とする。
【００１３】
上記の構成により、請求項２に記載の発明では、補強カラーの膨出部が鏡部の嵌合凹部に嵌入することで、両者の嵌合状態が確実になる。また、上記膨出部があることで当該箇所の補強カラーの厚みが増大し、その分だけ強度アップとなる。
【００１４】
請求項３に記載の発明は、請求項１又は２に記載の発明において、補強カラーは、合金鋼又はチタン合金からなることを特徴とする。
【００１５】
上記の構成により、請求項３に記載の発明では、補強カラーの素材である合金鋼又はチタン合金の性質により、応力が集中し易い鏡部及びガス取出筒部の強度が一層強化される。
【００１６】
請求項４に記載の発明は、請求項１又は２に記載の発明において、タンク本体は、アルミニウム合金からなることを特徴とする。
【００１７】
上記の構成により、請求項４に記載の発明では、タンク本体がアルミニウム合金製で軽量であるため、全体としての重量がさらに軽減される。
【００１８】
請求項５，６は高圧タンクの製造方法に関するものであって、そのうち、請求項５に記載の発明は、まず、金属製の筒状ブランク材を回転させながら塑性変形させて筒状胴部の一端に椀状鏡部を介してガス取出筒部が一体に突設されたタンク本体を成形し、その後、金属製の筒状補強カラーを上記タンク本体のガス取出筒部に外嵌合させて焼ばめにより上記補強カラーをタンク本体のガス取出筒部から鏡部にかけての外周に一体に嵌着させることを特徴とする。
【００１９】
上記の構成により、請求項５に記載の発明では、別途用意した補強カラーをタンク本体のガス取出筒部に外嵌合させるだけであるため、手間が掛からず、軽量でかつ３５〜７５ＭＰａの高圧に十分に耐え得る高圧タンクが簡単に得られる。
【００２０】
請求項６に記載の発明は、まず、金属製の筒状ブランク材を回転させながら塑性変形させて筒状胴部の一端に椀状鏡部を介してガス取出筒部が一体に突設されたタンク本体を成形した後、上記鏡部のガス取出筒部との境目近傍における外周にリング状嵌合凹部を形成し、その後、リング状膨出部を有する金属製の筒状補強カラーを上記タンク本体のガス取出筒部に外嵌合させて上記膨出部を鏡部の嵌合凹部に嵌入させ、焼ばめにより上記補強カラーをタンク本体のガス取出筒部から鏡部にかけての外周に一体に嵌着させることを特徴とする。
【００２１】
上記の構成により、請求項６に記載の発明では、別途用意した補強カラーをタンク本体のガス取出筒部に外嵌合させてその膨出部を鏡部の嵌合凹部に嵌入させるだけであるため、手間が掛からず、軽量でかつ３５〜７５ＭＰａの高圧に十分に耐え得る高圧タンクが簡単に得られる。しかも、両者の嵌合部分において補強カラーの厚みが増大した分だけ強度アップする。
【発明の効果】
【００２２】
請求項１に係る発明によれば、タンク本体の応力が集中し易い鏡部及びガス取出筒部に補強カラーを嵌着したので、上記ガス取出筒部及びその近傍の鏡部の厚みを補強カラーの厚みで補って当該箇所を十分に強化して、３５〜７５ＭＰａの高圧に十分に耐え得る高圧タンクとすることができる。また、上記補強カラーをタンク本体に部分的に嵌着するだけなので、高圧タンクの軽量化、加工の簡易化及び低価格化を達成することができる。
【００２３】
請求項２に係る発明によれば、補強カラーの膨出部を鏡部の嵌合凹部に嵌入させたので、両者の嵌合状態を確実にすることができるとともに、上記膨出部があることで当該箇所の補強カラーの厚みを増大してその分だけ強度を向上させることができる。
【００２４】
請求項３に係る発明によれば、補強カラーを合金鋼又はチタン合金にしたので、その性質によって鏡部及びガス取出筒部の強度を一層強化することができる。
【００２５】
請求項４に係る発明によれば、タンク本体をアルミニウム合金にしたので、さらに軽量化を達成することができる。
【００２６】
請求項５に係る発明によれば、塑性変形により成形したタンク本体のガス取出筒部に、別途用意した補強カラーを外嵌合させるだけでよいので、手間を掛けずに軽量でかつ３５〜７５ＭＰａの高圧に十分に耐え得る高圧タンクを簡単に製造することができる。
【００２７】
請求項６に係る発明によれば、塑性変形により成形したタンク本体のガス取出筒部に別途用意した補強カラーを外嵌合させてその膨出部を鏡部の嵌合凹部に嵌入させるだけでよいので、手間を掛けずに軽量でかつ３５〜７５ＭＰａの高圧に耐え得る高圧タンクを簡単に製造することができる。しかも、両者の嵌合部分において補強カラーの厚みを増大させた分だけ強度を向上させることができる。
【発明を実施するための最良の形態】
【００２８】
以下、この発明の実施の形態について図面に基づいて説明する。
【００２９】
（実施の形態１）
図１はこの発明の実施の形態に係る高圧タンク１を示す。この高圧タンク１は、水素ガス等の３５〜７５ＭＰａの高圧ガスが充填されるタンク本体２を備え、このタンク本体２は、横断面円形の筒状胴部３の一端に椀状鏡部４を介して横断面円形のガス取出筒部５が一体に突設され、このガス取出筒部５にはガス取出口６が形成されているとともに、上記胴部３の他端には底部７が一体に形成されて構成され、内部に高圧ガスを収容する中空部８を有している。
【００３０】
上記タンク本体２は、例えば、ＪＩＳ Ａ ６０６１やＪＩＳ Ａ ６０６２等のアルミニウム合金からなる金属製で、成形後にＴ６処理等の熱処理が施されてなるものであり、筒状ブランク材を塑性変形させて成形され、上記鏡部４、ガス取出筒部５及び底部７は胴部３よりも厚く形成されている。特に、上記鏡部４は、その成形に起因して胴部３からガス取出筒部５に近づくに従って胴部３の厚みからガス取出筒部５の厚みに漸次増大しており、これにより、応力が集中し易い鏡部４を強化している。
【００３１】
この発明の特徴として、上記タンク本体２のガス取出筒部５から鏡部４にかけての外周には、焼ばめにより金属製の筒状補強カラー１０が一体に嵌着されている。この補強カラー１０は、図２にも示すように、上記ガス取出筒部５とほぼ厚みが等しい横断面円形の筒部１１と、この筒部１１の下端に一体に形成されて外側方に張り出した張出部１２とからなり、この張出部１２の厚みは外端に近づくに従って薄くなっており、これにより、張出部１２外端が段差なく鏡部４外表面に沿うようになっている。この補強カラー１０は、例えば、ＳＮＣＭ４４０、ＳＣＭ４４０、ＳＫＤ６１等の合金鋼又はチタン合金からなる金属製で、鍛造成形や旋削加工されてなるものであるが、これに限定されず、強度／重量比がアルミニウムよりも高いものであればよく、これによれば、重量軽減に大きく貢献することができる。そして、上記補強カラー１０は、その嵌合孔１４に上記タンク本体２のガス取出筒部５を挿入した状態でガス取出筒部５に一体に外嵌合され、焼ばめによりタンク本体２のガス取出筒部５から鏡部４にかけての外周に一体に嵌着されている。
【００３２】
上述の如くガス取出筒部５及びその近傍の鏡部４の厚みが胴部３に比べて厚くなっているが、補強カラー１０を嵌着することで当該箇所の実質的な厚みをさらに増大させることができ、しかも、補強カラー１０の素材である合金鋼又はチタン合金等の性質と相俟って当該箇所の強度を一層強固なものにすることができる。したがって、３５〜７５ＭＰａの高圧に十分に耐え得る高圧タンク１とすることができる。
【００３３】
また、補強カラー１０の装着箇所をタンク本体２全体ではなく、応力が集中し易い鏡部４及びガス取出筒部５に限っているので、高圧タンク１の大幅な重量増加を避けることができて軽量化を図ることができるとともに、加工の簡易化、低価格化を図ることができる。さらに、タンク本体２がアルミニウム合金製で軽量であるため、全体としての重量をさらに軽減することができる。
【００３４】
次に、上述の如く構成された高圧タンク１の製造要領の一例を説明する。
【００３５】
まず、図３（Ｉ）に示すようなアルミニウム合金製の短筒状ブランク材２１を用意する。この短筒状ブランク材２１は、図示しないが、例えば円柱形のビレットを鍛造成形することにより成形され、筒状胴部３１に底部７１が一体に形成された有底筒状をしている。別の方法として、円板の板材をダイとポンチとでプレス絞りして有底筒状に成形してもよい。
【００３６】
そして、上記短筒状ブランク材２１をフローフォーミングする。その要領は、図３（II）に示すように、マンドレル１５に短筒状ブランク材２１を外嵌合して取り付け、上記マンドレル１５をその軸心回りに回転させて上記短筒状ブランク材２１を一体に回転させ、成形ローラ１６を上記短筒状ブランク材２１の外周面に圧接させることで回転させながら胴部３１を軸心方向にしごくようにする。これにより、短筒状ブランク材２１が塑性変形して長筒状ブランク材２１１が成形される。この段階で、胴部３１１及び底部７１１の厚みが、完成品としてのタンク本体２の胴部３及び底部７の厚みと等しくなっている。
【００３７】
次いで、上記長筒状ブランク材２１１を図示しないチャック装置で保持してその開口部から所定領域をスピニングにより口絞りする。その要領は、図３（III ）に示すように、長筒状ブランク材２１１をその軸心回りに回転させ、この状態で、成形ローラ１７を長筒状ブランク材２１１の開口部から所定領域に亘って傾けて圧接させることで回転させながら長筒状ブランク材２１１の軸心に対して斜めに移動させてしごくようにする。これにより、長筒状ブランク材２１１の開口部から所定領域が塑性変形して筒状胴部３の一端に椀状鏡部４を介してガス取出筒部５が一体に突設されたタンク本体２が成形される。このタンク本体２では、上述の如きスピニングによる口絞り成形により、鏡部４の厚みが胴部３からガス取出筒部５に近づくに従って漸次増大するように成形される。
【００３８】
その後、図３（IV）に示すように、別途鍛造成形や旋削加工した合金鋼製又はチタン合金製等の補強カラー１０を用意する。この補強カラー１０は、上述の如く筒部１１の下端に張出部１２が一体に形成されているとともに、内部に筒部１１及び張出部１２を上下に貫通する嵌合孔１４が形成されている（図２参照）。上記嵌合孔１４の内径は、ガス取出筒部５の外径との関係において焼ばめによる締め代を考慮して設定されている。
【００３９】
そして、図３（Ｖ）に示すように、上記補強カラー１０をタンク本体２のガス取出筒部５に外嵌合させ、焼ばめにより上記補強カラー１０をタンク本体２のガス取出筒部５から鏡部４にかけての外周に一体に嵌着させる。
【００４０】
このように、別途用意した補強カラー１０をタンク本体２のガス取出筒部５に外嵌合させるだけであるため、手間を掛けることなく簡単に高圧タンク１を製造することができる。
【００４１】
（実施の形態２）
図４はこの発明の実施の形態２に係る高圧タンク１を示す。この高圧タンク１は、水素ガス等の３５〜７５ＭＰａの高圧ガスが充填されるタンク本体２を備え、このタンク本体２は、横断面円形の筒状胴部３の一端に椀状鏡部４を介して横断面円形のガス取出筒部５が一体に突設され、このガス取出筒部５にはガス取出口６が形成されているとともに、上記胴部３の他端には底部７が一体に形成されて構成され、内部に高圧ガスを収容する中空部８を有している。
【００４２】
上記タンク本体２は、例えば、ＪＩＳ Ａ ６０６１やＪＩＳ Ａ ６０６２等のアルミニウム合金からなる金属製で、成形後にＴ６処理等の熱処理が施されてなるものであり、筒状ブランク材を塑性変形させて成形され、上記鏡部４、ガス取出筒部５及び底部７は胴部３よりも厚く形成されている。特に、上記鏡部４は、その成形に起因して胴部３からガス取出筒部５に近づくに従って胴部３の厚みからガス取出筒部５の厚みに漸次増大しており、これにより、応力が集中し易い鏡部４を強化している。また、この実施の形態２の特徴として、上記鏡部４のガス取出筒部５との境目近傍における外周には、リング状嵌合凹部９が形成されている。
【００４３】
この発明の特徴として、上記タンク本体２のガス取出筒部５から鏡部４にかけての外周には、焼ばめにより金属製の筒状補強カラー１０が一体に嵌着されている。この補強カラー１０は、図５にも示すように、上記ガス取出筒部５とほぼ厚みが等しい横断面円形の筒部１１と、この筒部１１の下端に一体に形成されて外側方に張り出した張出部１２とからなり、この張出部１２の厚みは外端に近づくに従って薄くなっており、これにより、張出部１２外端が段差なく鏡部４外表面に沿うようになっている。また、この実施の形態２では、上記鏡部４の嵌合凹部９との関係で、上記張出部１２の裏面には、リング状膨出部１３が一体に下方に膨出して形成され、上記補強カラー１０の内部には、上記筒部１１及び張出部１２を上下に貫通する嵌合孔１４が形成されている。この補強カラー１０は、例えば、ＳＮＣＭ４４０、ＳＣＭ４４０、ＳＫＤ６１等の合金鋼又はチタン合金からなる金属製で、鍛造成形や旋削加工されてなるものであるが、これに限定されず、強度／重量比がアルミニウムよりも高いものであればよく、これによれば、重量軽減に大きく貢献することができる。そして、上記補強カラー１０は、その嵌合孔１４に上記タンク本体２のガス取出筒部５を挿入した状態で、上記筒部１１がガス取出筒部５に一体に外嵌合されているとともに、上記張出部１２がその膨出部１３を上記鏡部４の嵌合凹部９に嵌入した状態で焼ばめにより鏡部４外表面に一体に接合されている。
【００４４】
上述の如くガス取出筒部５及びその近傍の鏡部４の厚みが胴部３に比べて厚くなっているが、補強カラー１０を嵌着することで当該箇所の実質的な厚みをさらに増大させることができ、しかも、補強カラー１０の素材である合金鋼又はチタン合金等の性質と相俟って当該箇所の強度を一層強固なものにすることができる。さらには、補強カラー１０の膨出部１３を鏡部４の嵌合凹部９に嵌入させているので、両者の嵌合状態を確実に行うことができるとともに、上記膨出部１３があることで当該箇所の補強カラー１０の厚みを増大させてその分だけ強度を向上させることができる。したがって、３５〜７５ＭＰａの高圧にさらに十分に耐え得る高圧タンク１とすることができる。
【００４５】
また、補強カラー１０の装着箇所をタンク本体２全体ではなく、応力が集中し易い鏡部４及びガス取出筒部５に限っているので、高圧タンク１の大幅な重量増加を避けることができて軽量化を図ることができるとともに、加工の簡易化、低価格化を図ることができる。さらに、タンク本体２がアルミニウム合金製で軽量であるため、全体としての重量をさらに軽減することができる。
【００４６】
次に、上述の如く構成された高圧タンク１の製造要領の一例を説明する。
【００４７】
まず、図６（Ｉ）に示すようなアルミニウム合金製の短筒状ブランク材２１を用意する。この短筒状ブランク材２１は、図示しないが、例えば円柱形のビレットを鍛造成形することにより成形され、筒状胴部３１に底部７１が一体に形成された有底筒状をしている。別の方法として、円板の板材をダイとポンチとでプレス絞りして有底筒状に成形してもよい。
【００４８】
そして、上記短筒状ブランク材２１をフローフォーミングする。その要領は、図６（II）に示すように、マンドレル１５に短筒状ブランク材２１を外嵌合して取り付け、上記マンドレル１５をその軸心回りに回転させて上記短筒状ブランク材２１を一体に回転させ、成形ローラ１６を上記短筒状ブランク材２１の外周面に圧接させることで回転させながら胴部３１を軸心方向にしごくようにする。これにより、短筒状ブランク材２１が塑性変形して長筒状ブランク材２１１が成形される。この段階で、胴部３１１及び底部７１１の厚みが、完成品としてのタンク本体２の胴部３及び底部７の厚みと等しくなっている。
【００４９】
次いで、上記長筒状ブランク材２１１を図示しないチャック装置で保持してその開口部から所定領域をスピニングにより口絞りする。その要領は、図６（III ）に示すように、長筒状ブランク材２１１をその軸心回りに回転させ、この状態で、成形ローラ１７を長筒状ブランク材２１１の開口部から所定領域に亘って傾けて圧接させることで回転させながら長筒状ブランク材２１１の軸心に対して斜めに移動させてしごくようにする。これにより、長筒状ブランク材２１１の開口部から所定領域が塑性変形して筒状胴部３の一端に椀状鏡部４を介してガス取出筒部５が一体に突設されたタンク本体２が成形される。このタンク本体２では、上述の如きスピニングによる口絞り成形により、鏡部４の厚みが胴部３からガス取出筒部５に近づくに従って漸次増大するように成形される。
【００５０】
その後、上記タンク本体２を切削装置に搬入し、図６（IV）に示すように、鏡部４のガス取出筒部５との境目近傍における外周にリング状嵌合凹部９を形成する。
【００５１】
しかる後、図６（Ｖ）に示すように、別途鍛造成形や旋削加工した合金鋼製又はチタン合金製等の補強カラー１０を用意する。この補強カラー１０は、上述の如く筒部１１の下端に張出部１２が一体に形成され、張出部１２の裏面にはリング状膨出部１３が一体に形成されているとともに、内部に筒部１１及び張出部１２を上下に貫通する嵌合孔１４が形成されている（図５参照）。上記嵌合孔１４の内径は、ガス取出筒部５の外径との関係において焼ばめによる締め代を考慮して設定されている。
【００５２】
そして、図６（VI）に示すように、上記補強カラー１０をタンク本体２のガス取出筒部５に外嵌合させて補強カラー１０の膨出部１３を鏡部４の嵌合凹部９に嵌入させ、焼ばめにより上記補強カラー１０をタンク本体２のガス取出筒部５から鏡部４にかけての外周に一体に嵌着させる。
【００５３】
このように、別途用意した補強カラー１０をタンク本体２のガス取出筒部５に外嵌合させるだけであるため、手間を掛けることなく簡単に高圧タンク１を製造することができる。しかも、両者の嵌合部分において補強カラー１０の厚みを増大させてその分だけ強度を向上させることができる。
【００５４】
なお、上記の実施の形態１，２では、フローフォーミングに供する短筒状ブランク材２１として有底筒状のものを例示したが、両端が開口した円筒体であってもよく、この場合には、両端の開口部から所定領域をスピニングにより口絞りすることになる。
【産業上の利用可能性】
【００５５】
この発明は、軽量でありながら３５〜７５ＭＰａの高圧ガスに耐え得る高圧タンクとして有用であり、例えば自動車用水素燃料タンク等として利用することができる。
【図面の簡単な説明】
【００５６】
【図１】この発明の実施の形態１に係る高圧タンクの縦断面図である。
【図２】この発明の実施の形態１に係る高圧タンクに使用される補強カラーの縦断面図である。
【図３】この発明の実施の形態１に係る高圧タンクの製造工程において素材から完成品に至る過程を示し、（Ｉ）はフローフォーミングに供される短筒状ブランク材の縦断面図、（II）はフローフォーミング工程図、（III ）はスピニング工程図、（IV）はタンク本体に補強カラーを焼ばめにより嵌着する前の状態の縦断面図、（Ｖ）はタンク本体に補強カラーを焼ばめにより嵌着した状態の縦断面図である。
【図４】この発明の実施の形態２に係る高圧タンクの縦断面図である。
【図５】この発明の実施の形態２に係る高圧タンクに使用される補強カラーの縦断面図である。
【図６】この発明の実施の形態２に係る高圧タンクの製造工程において素材から完成品に至る過程を示し、（Ｉ）はフローフォーミングに供される短筒状ブランク材の縦断面図、（II）はフローフォーミング工程図、（III ）はスピニング工程図、（IV）はタンク本体の鏡部に嵌合凹部を形成した状態の縦断面図、（Ｖ）はタンク本体に補強カラーを焼ばめにより嵌着する前の状態の縦断面図、（VI）はタンク本体に補強カラーを焼ばめにより嵌着した状態の縦断面図である。
【符号の説明】
【００５７】
１            高圧タンク
２            タンク本体
３            胴部
４            鏡部
５            ガス取出筒部
９            嵌合凹部
１０          補強カラー
１３          膨出部
２１，２１１  ブランク材
【図１】
2005016707.tif 000003
【図２】
2005016707.tif 000004
【図３】
2005016707.tif 000005
【図４】
2005016707.tif 000006
【図５】
2005016707.tif 000007
【図６】
2005016707.tif 000008